(57)【要約】【課題】採血を開始する前の採血情報及び使用する採血装置情報をコードレス通信手段で読み取ることにより照合確認操作を容易に行うことができる採血装置を提供すること。【解決手段】採血量及び使用ラベル（９９）の採血情報の入力スイッチ（６４）を配置した設定パネル（５９）と、前記使用ラベル（９９）の採血情報を記憶する記憶手段（８６）と、採血量（２００ｍＬ／４００ｍＬ）の設定スイッチ及び表示ランプ（７０）と使用バッグの設定スイッチ及び表示ランプ（７２）を配置した操作パネル（６０）と、無線通信手段（１１１）を有する採血装置（１）。【選択図】図１
2004081305.tif 000002
【特許請求の範囲】
【請求項１】
採血量及び使用ラベル（９９）の採血情報の入力スイッチ（６４）を配置した設定パネル（５９）と、
前記使用ラベル（９９）の採血情報を記憶する記憶手段（８６）と、
採血量（２００ｍＬ／４００ｍＬ）の設定スイッチ及び表示ランプ（７０）と使用バッグの設定スイッチ及び表示ランプ（７２）を配置した操作パネル（６０）と、無線通信手段（１１１）を有することを特徴とする採血装置（１）。
【請求項２】
前記採血機（１）は使用ラベル（９９）の血液型を表示部（７３）または操作パネル（６０）内のいずれか一箇所に表示できるようにしたことを特徴とする請求項１に記載の採血装置（１）。
【請求項３】
無線通信手段（１１１）及び採血装置情報（ＢＣＬ）を装着した採血装置（１）と、
読み取り手段（９７Ａ）及び無線通信手段（９７Ｂ）を装着したコードレス通信手段（９７）とから構成されることを特徴とする採血システム（１Ｓ）。
【請求項４】
前記コードレス通信手段（９７）は、前記採血装置情報（ＢＣＬ）と使用ラベル（９９）の採血情報を読み取り、当該読み取り情報を、前記無線通信手段（１１１）に送信できることを特徴とする請求項３に記載の採血システム（１Ｓ）。
【請求項５】
前記採血機（１）は、採血量及び使用ラベル（９９）の採血情報の入力スイッチ（６４）を配置した設定パネル（５９）と、
前記使用ラベル（９９）の採血情報を記憶する記憶手段（８６）と、
採血量（２００ｍＬ／４００ｍＬ）の設定スイッチ及び表示ランプ（７０）と使用バッグの設定スイッチ及び表示ランプ（７２）を配置した操作パネル（６０）を有し、
前記入力スイッチ（６４）により、採血情報の入力を行い、当該採血情報を前記記憶手段（８６）に記憶させ、
前記採血量（２００ｍＬ／４００ｍＬ）の設定スイッチ及び表示ランプ（７０）と使用バッグの設定スイッチ及び表示ランプ（７２）を押すことにより、前記記憶手段（８６）に記憶されている使用ラベル（９９）の必要枚数を、表示部（７３）に表示することができることを特徴とする請求項３ないし請求項４に記載の採血システム（１Ｓ）。
【請求項６】
前記使用ラベル（９９）の必要枚数を表示部（７３）に表示した後、前記コードレス通信手段（９７）で血液バッグ（３２）と検体容器（Ｓ）と献血申込書（１００）に貼付した前記使用ラベル（９９）の情報を、１枚ずつ読み取ることにより、
▲１▼前記表示部（７３）に表示された使用ラベル（９９）の必要枚数と実際に使用する使用ラベル（９９）の枚数及び当該使用ラベル（９９）の情報が同一か否か、
▲２▼コードレス通信手段（９７）で読込んだ使用ラベル（９９）の情報と採血装置（１）の設定に矛盾がないか否か、
▲３▼使用する採血装置（１）が同一か否か、
について照合及び判定できることを特徴とする請求項３ないし５に記載の採血システム（１Ｓ）。
【請求項７】
前記採血装置（１）及びコードレス通信手段（９７）とホストコンピュータＨＣとから構成されることを特徴とする採血システム（１Ｓ、１ＳＳ、１Ａ、１Ｂ、１Ｃ）。
【請求項８】
ホストコンピュータＨＣは、無線通信手段（１１０）を装着したことを特徴とする請求項７に記載の採血システム（１Ｓ、１Ａ、１Ｂ、１Ｃ）。
【請求項９】
前記採血情報及び採血機情報を入力したコードレス通信手段（９７）から無線通信手段（１１１）を介して採血装置（１）に入力した後、当該採血装置（１）の情報をホストコンピュータ（ＨＣ）に、
▲１▼採血装置（１）のコンピュータリンク端子（１０４）から有線で送信し、または
▲２▼採血装置（１）の無線通信手段（１１１）からホストコンピュータＨＣの無線通信手段（１１０）に無線で送信し、または
▲３▼コードレス通信手段（９７）からホストコンピュータＨＣの無線通信手段（１１０）に無線で送信し、
前記採血装置（１）からホストコンピュータ（ＨＣ）に前記採血情報及び採血機情報のアップロードを行い、ホストコンピュータ（ＨＣ）で一元管理ができるようにしたことを特徴とする請求項７ないし８に記載の採血システム（１Ｓ、１ＳＳ、１Ａ、１Ｂ）。
【請求項１０】
前記採血情報及び採血機情報を入力したコードレス通信手段（９７）をホストコンピュータ（ＨＣ）の無線通信手段（１１０）を介して当該ホストコンピュータＨＣに送信した後、
▲１▼ホストコンピュータＨＣの無線通信手段（１１０）から採血装置（１）の無線通信手段（１１１）に無線で送信し、または
▲２▼ホストコンピュータ（ＨＣ）のコンピュータリンク端子（１０４）を介して採血装置（１）へ有線で送信し、
ホストコンピュータ（ＨＣ）から採血装置（１）へ前記採血情報及び／又は採血機情報のダウンロードを行い、ホストコンピュータＨＣで一元管理ができるようにしたことを特徴とする請求項７ないし８に記載の採血システム（１Ｃ）。
【発明の詳細な説明】
【０００１】
【発明の属する技術分野】
本発明は採血作業の効率化および採血情報の一元管理を容易に行うことのできる採血装置及び採血システムの改良に関する。
【０００２】
【従来の技術及び発明が解決しようとする課題】
本件特許出願人は特開２０００−１１６７６７号の「採血装置及び採血システム」の発明を開示した。
前記発明は、採血情報の読取手段（バーコードリーダー）をコードを介して採血装置のバーコードリーダコネクターに接続し、当該読取手段により製造ラベルや使用ラベル等の情報を読み取ると同時に採血装置１内に入力する。
通常採血装置はテーブル等の作業台に配置して、前記読取手段を一方の手に持ち、他方の手に例えば製造ラベルや使用ラベルを貼付した採血バッグを持って、該読取手段を前記製造ラベルや使用ラベルのバーコード部に当接して前記ラベルの情報を採血装置に入力する。
ところが前記読み取り手段の使用頻度が多くなるとコードの重さや操作時の張力が負担になり、前記読み取り手段とコードの接続部（付け根）やバーコードリーダコネクターとコードの接続部（付け根）の不慮の断線が起こることが懸念される。またコードで物を引っ掛けて落としてしまうトラブルやコードがある為作業の煩わしさが指摘される。
また読取手段は、採血装置１台ごとにコードを介して接続されており、該採血装置１台に対して１台の読取り手段が使用される。そのため例えば前記読取手段が故障した場合、少なくともその採血装置は使用できなくなる。また故障した読取手段を取り外して、別の採血装置に接続している正常な読取手段と交換することができるが、少なくとも正常な読取手段を取り外した採血装置は使用できないことになる。
そこで本発明者らは以上の課題を解決するために鋭意検討を重ねた結果次の発明に到達した。
【０００３】
【課題を解決するための手段】
［１］本発明は、採血量及び使用ラベル（９９）の採血情報の入力スイッチ（６４）を配置した設定パネル（５９）と、
前記使用ラベル（９９）の採血情報を記憶する記憶手段（８６）と、
採血量（２００ｍＬ／４００ｍＬ）の設定スイッチ及び表示ランプ（７０）と使用バッグの設定スイッチ及び表示ランプ（７２）を配置した操作パネル（６０）と、無線通信手段（１１１）を有する採血装置（１）を提供する。
［２］本発明は、前記採血機（１）は使用ラベル（９９）の血液型を表示部（７３）または操作パネル（６０）内のいずれか一箇所に表示できるようにした［１］に記載の採血装置（１）を提供する。
［３］本発明は、無線通信手段（１１１）及び採血装置情報（ＢＣＬ）を装着した採血装置（１）と、
読み取り手段（９７Ａ）及び無線通信手段（９７Ｂ）を装着したコードレス通信手段（９７）とから構成される採血システム（１Ｓ）を提供する。
［４］本発明は、前記コードレス通信手段（９７）は、前記採血装置情報（ＢＣＬ）と使用ラベル（９９）の採血情報を読み取り、当該読み取り情報を、前記無線通信手段（１１１）に送信できる［３］に記載の採血システム（１Ｓ）を提供する。
［５］本発明は、前記採血機（１）は、採血量及び使用ラベル（９９）の採血情報の入力スイッチ（６４）を配置した設定パネル（５９）と、
前記使用ラベル（９９）の採血情報を記憶する記憶手段（８６）と、
採血量（２００ｍＬ／４００ｍＬ）の設定スイッチ及び表示ランプ（７０）と使用バッグの設定スイッチ及び表示ランプ（７２）を配置した操作パネル（６０）を有し、
前記入力スイッチ（６４）により、採血情報の入力を行い、当該採血情報を前記記憶手段（８６）に記憶させ、
前記採血量（２００ｍＬ／４００ｍＬ）の設定スイッチ及び表示ランプ（７０）と使用バッグの設定スイッチ及び表示ランプ（７２）を押すことにより、前記記憶手段（８６）に記憶されている使用ラベル（９９）の必要枚数を、表示部（７３）に表示することができる［３］ないし［４］に記載の採血システム（１Ｓ）を提供する。
［６］本発明は、前記使用ラベル（９９）の必要枚数を表示部（７３）に表示した後、前記コードレス通信手段（９７）で血液バッグ（３２）と検体容器（Ｓ）と献血申込書（１００）に貼付した前記使用ラベル（９９）の情報を、１枚ずつ読み取ることにより、
▲１▼前記表示部（７３）に表示された使用ラベル（９９）の必要枚数と実際に使用する使用ラベル（９９）の枚数及び当該使用ラベル（９９）の情報が同一か否か、
▲２▼コードレス通信手段（９７）で読込んだ使用ラベル（９９）の情報と採血装置（１）の設定に矛盾がないか否か、
▲３▼使用する採血装置（１）が同一か否か、
について照合及び判定できる［３］ないし［５］に記載の採血システム（１Ｓ）を提供する。
［７］本発明は、前記採血装置（１）及びコードレス通信手段（９７）とホストコンピュータＨＣとから構成される採血システム（１Ｓ、１ＳＳ、１Ａ、１Ｂ、１Ｃ）を提供する。
［８］本発明は、ホストコンピュータＨＣは、無線通信手段（１１０）を装着した［７］に記載の採血システム（１Ｓ、１Ａ、１Ｂ、１Ｃ）を提供する。
［９］本発明は、前記採血情報及び採血機情報を入力したコードレス通信手段（９７）から無線通信手段（１１１）を介して採血装置（１）に入力した後、当該採血装置（１）の情報をホストコンピュータ（ＨＣ）に、
▲１▼採血装置（１）のコンピュータリンク端子（１０４）から有線で送信し、または
▲２▼採血装置（１）の無線通信手段（１１１）からホストコンピュータＨＣの無線通信手段（１１０）に無線で送信し、または
▲３▼コードレス通信手段（９７）からホストコンピュータＨＣの無線通信手段（１１０）に無線で送信し、
前記採血装置（１）からホストコンピュータ（ＨＣ）に前記採血情報及び採血機情報のアップロードを行い、ホストコンピュータ（ＨＣ）で一元管理ができるようにした［７］ないし［８］に記載の採血システム（１Ｓ、１ＳＳ、１Ａ、１Ｂ）を提供する。
［１０］本発明は、前記採血情報及び採血機情報を入力したコードレス通信手段（９７）をホストコンピュータ（ＨＣ）の無線通信手段（１１０）を介して当該ホストコンピュータＨＣに送信した後、
▲１▼ホストコンピュータＨＣの無線通信手段（１１０）から採血装置（１）の無線通信手段（１１１）に無線で送信し、または
▲２▼ホストコンピュータ（ＨＣ）のコンピュータリンク端子（１０４）を介して採血装置（１）へ有線で送信し、
ホストコンピュータ（ＨＣ）から採血装置（１）へ前記採血情報及び／又は採血機情報のダウンロードを行い、ホストコンピュータＨＣで一元管理ができるようにした［７］ないし［８］に記載の採血システム（１Ｃ）を提供する。
【０００４】
【発明の実施の形態】
図１は本発明の採血装置１の正面図（図２は本発明の採血装置の縦断面図、図３は本発明の採血装置の平面図、図４は図３から受皿２を除いた平面図、図５は図４の揺動手段の拡大図、図６は図５のＡ矢視図、図７は図５のＢ−Ｂ断面図、図８は受皿の揺動位置／速度検出用円板２１と受皿の位置／速度検出用センサ２３の一部拡大図、図９は操作パネルの拡大図、図１０は設定パネルの拡大図）である。採血装置１は採血バッグの受皿２と該受皿２に載置された採血バッグへの採血重量を測定する重量測定手段３と前記受皿２の揺動手段と、これらを一体収納する収納空間１０を有しかつ収納空間１０を真空構造としたハウジング５とから構成されている。
前記揺動手段は駆動手段と受皿２の支持部材と該支持部材に前記駆動手段により受皿２に駆動力を伝達する手段により構成される。
前記駆動手段はモータ７よりなり、前記支持部材は支柱１１とシャフト３４よりなり、前記伝達手段はウォーム１６とウォームホイル１７よりなる。
駆動手段、支持部材、伝達手段は前記の部品に限定されるものではなく、要するに揺動手段を構成して受皿２を最初の停止位置から１°から４０°前後方向上下揺動するとともに１°から４０°左右方向上下揺動を行い、以後前後方向上下揺動と左右方向上下揺動の三次元複合揺動を同時に行うことのできる部品の組み合わせであれば何でも採用することができる。
揺動手段の上部に受皿２を配置し、揺動手段を逆Ｌ字状の板状の固定部材６を介して重量測定手段３の側部に装着している。固定部材６は天プレート４１と側プレート４４より構成され、天プレート４１の下部に重量測定手段３が配置されている。
【０００５】
重量測定手段３はロードセルが使用され、重量測定手段３は天プレート４１と底プレート４２の間に配置されている。重量測定手段３の固定端はネジ等により底プレート４２を挟む形で隔壁１５に固定され、他方の重量測定手段３の自由端には、天プレート４１がネジ等により固定されている。底プレート４２の端部には過負荷保護プレート４７が溶接され、過負荷保護プレート４７は天プレート４１の端部に配置された過負荷保護ネジ４８（２個）を上下方向に囲むよう形成され、過負荷保護ネジ４８を調整することにより上下方向の過負荷に対して、重量測定手段３を保護することができるようになっている。他方揺動手段の底部は隔壁１５と接触ないし固定されておらず、隔壁１５との間に若干のスペースがある。
前記収納空間１０の下部には隔壁１５を介して真空ポンプ３０と電源部３１が配置され、収納空間１０内は真空配管３８を介して真空ポンプ３０と連通されている。また、収納空間１０内は圧力開放弁部３９を介して大気圧開放可能な構造になっている。
前記ハウジング５の天面にはヒンジ２０を介して蓋体９が装着され、蓋体９を閉じるとキャッチ１３が蓋体９を保持し、圧力開放弁３９ａを閉じることにより、ハウジング５と蓋体９により収納空間１０を密封構造とし、収納空間１０内を真空ポンプ３０より排気することにより真空構造とすることができる。
ハウジング５の前方上部にはチューブホルダー１４が配置されている。チューブホルダー１４には採血チューブ３２ａの装着溝１４ａが形成され、受皿２に載置された採血バッグ３２の採血チューブ３２ａをハウジング５から外に引き出して保持することができる。チューブホルダー１４の内部には蓋体９の開閉状態を検出するスイッチ（図示せず）が装着され、蓋体９の閉状態の検出を、真空ポンプ３０及び揺動手段の運転条件としている。これらは省エネルギー対策及び操作者の安全対策として有効である。
ハウジング５の天面及び／又は蓋体９の底面には収納空間１０を真空構造とすることができるようにパッキン（図示せず）が配置され、さらに採血チューブ３２ａをハウジング５から引き出しても収納空間１０内の真空構造を維持することができるように採血チューブ３２ａを密着させることのできる溝及び／又はパッキン（図示せず）が形成及び／又は装着される。
【０００６】
前記ハウジング５の前面には電源スイッチ４５と設定パネル５９と操作パネル６０及び無線通信手段１１１が配置されている。
無線通信手段１１１は、後述するコードレス通信手段９７から送信される情報（例えば採血に使用する使用ラベル９９に入力された情報、採血装置１自体の情報等）を受信して採血装置１内に読込むことができる。
前記使用ラベル９９の情報とは、例えば血液センター番号、施設番号、採血バッグの採血量、血液型等の情報で、血液センター側で採血に使用する情報等である。
前記ハウジング５の設定パネル５９の正面上部には前記採血装置１自体の情報（以下、採血装置情報（ＢＣＬ）と略記する）がバーコード化されて装着（貼付）されている。採血装置情報（ＢＣＬ）とは、例えば製造会社名、機種名、機種番号、製造番号（製造ロット番号）等）等である。なおＢＣＬとはバーコードラベルを意味する。
前記使用ラベル９９の情報と採血装置情報（ＢＣＬ）はコードレス通信手段９７で読み取ることができ、前記採血装置１の無線通信手段１１１に送信することができる。
【０００７】
次に本発明のコードレス通信手段９７について説明する。
コードレス通信手段９７の本体内には、読み取り手段９７Ａと無線通信手段９７Ｂが装着され、さらに電源スイッチ９７Ｃと読み取りボタン９７Ｄと送信ボタン９７Ｅが装着されている。これらの各部品の装着位置は、どこでも良い。
前記読み取り手段９７Ａとは、例えばバーコードリーダーが使用され、前記使用ラベル９９や採血装置情報（ＢＣＬ）のバーコード部分に入力された情報を読み取ることができる。
前記無線通信手段９７Ｂとは、前記読み取り手段９７Ａで読み取った前記情報を、例えば採血装置１の無線通信手段１１１に送信する手段である。
前記無線通信手段９７Ｂとして、例えば無線通信デバイスが使用されるが、これに代えて例えば光通信（例えば赤外線：ＩｒＤＡ）デバイスや電波通信デバイス等も使用することができる。
さらにコードレス通信手段９７のその他の実施例として、携帯情報端末にコードレス通信手段９７の前記無線通信手段９７Ｂを装着して、携帯情報端末をコードレス通信手段９７として使用することができる。
前記携帯情報端末とは例えばＰＤＡ（Ｐｅｒｓｏｎａｌ　Ｄｉｇｉｔａｌ　Ａｓｓｉｓｔａｎｔ）、携帯電話等であり、該携帯情報端末に直接又はコードあるいはコネクタを介して前記無線通信手段９７Ｂを装着することができる。
携帯情報端末をコードレス通信手段９７として使用することにより、前記コードレス通信手段９７が故障した場合や緊急使用の場合、前記無線通信手段９７Ｂを携帯情報端末に装着するだけで対応することができる。また携帯情報端末そのものがＯＳ（Ｏｐｅｒａｔｉｎｇ　Ｓｙｓｔｅｍ）で動作しているため、採血装置１やホストコンピュータＨＣで、行っている判定動作を代行させることができ、採血装置１やホストコンピュータＨＣのシステムの負担を軽減させることができる。
【０００８】
本発明の採血システム１Ｓでは、１台のコードレス通信手段９７に対して、少なくとも１台以上の採血装置１を対応させて使用することができる。例えば２台の採血装置１を、１台のコードレス通信手段９７で対応させて使用する場合、一方の採血装置１と採血バッグの情報をコードレス通信手段９７で読み取り前記採血装置１に無線通信手段１１１を介して送信する。さらに他方の採血装置１と採血バッグの情報を前記コードレス通信手段９７で読み取り前記採血装置１に無線通信手段１１１を介して送信する。このように１台のコードレス通信手段９７に対して少なくとも１台以上の採血装置１を対応させて使用することができる。
【０００９】
設定パネル５９には運転モードと設定モードの切替及び採血量／風袋量／風袋処理方式／ラベルの必要枚数等設定項目の切替を行う設定モードスイッチ６３、採血量／風袋量の数値設定、風袋処理方式、ラベルの必要枚数の切替、校正数値の設定等を行う数値設定スイッチ６５と重量測定手段３で測定した重量及び圧力センサで測定した圧力の校正モードへ移行するための校正モードスイッチ６８、各設定値の入力を行う入力スイッチ６４が設けられている。
前記ラベルとは使用ラベル９９を意味する。
操作パネル６０には運転開始スイッチ６１、運転停止スイッチ６２、吸引切替スイッチ６６、揺動スイッチ６７、採血量（２００ｍｌ／４００ｍｌ）の設定スイッチ及び表示ランプ７０、吸引の表示ランプ７１、血液流速表示ランプ７５、使用バッグの設定スイッチ及び表示ランプ７２、採血量／真空度／風袋量／ラベルの必要枚数が表示される表示部７３が設けられている。
【００１０】
前記使用バッグの設定スイッチ及び表示ランプ７２のうち「ＭＡＰ」は血液保存液であるＭＡＰ液を備えたマルチプルバッグを意味し、当該マルチプルバッグは、血液保存液が入った採血バッグ１袋と採血バッグ３袋の合計４袋から構成される。「Ｓ」はシングルバッグで採血バッグが１袋、「Ｄ」はダブルバッグで該採血バッグが２袋、「Ｔ」はトリプルバッグで該採血バッグが３袋で構成されている。
前記表示部７３に使用ラベル９９の採血情報中の血液型情報（Ａ、Ｂ、Ｏ、ＡＢ）が判るように、前記血液型情報（Ａ、Ｂ、Ｏ、ＡＢ）に表示することができる。また新たに操作パネル６０内の採血量の設定スイッチ及び表示ランプ７０の上部または使用バッグの設定スイッチ及び表示ランプ７２の上部に文字（Ａ、Ｂ、Ｏ、ＡＢ）あるいは、ランプ色（Ａ：黄、Ｂ：白、Ｏ：青、ＡＢ：赤）で血液型情報が判るように配置してもよい。
前記血液型情報を前記のように操作パネル６０内に配置することによりオペレータに使用ラベルの血液型情報を与えることができると共に、オペレータが使用ラベル９９の取り違い（血液型違い）を防ぐことができる。
【００１１】
揺動手段を構成するモータ７のギヤヘッド８の端部とモータ７の回転をウォームホイル１７に伝達するウォーム１６の端部はそれぞれ側プレート３７に固定されている。ウォームホイル１７の外周にはウォーム１６の係合溝１９が形成され、ウォームホイル１７の天面には球状溝１８が形成されている。ウォームホイル１７の下部には軸２４が突設され、これは軸受２６を介してベースプレート２７に装着されている。
【００１２】
採血バッグの受皿２は支柱１１を介してウォームホイル１７に装着されている。支柱１１の中腹部には縦長の溝３３が形成され、これにシャフト３４を貫通させ、さらにシャフト３４に固定されたピン３５を軸受２９を介して支柱１１に装着している。シャフト３４の両端は側プレート３６、３７に軸受４３を介して装着されている。支柱１１の上部は受皿２の底部に固定され、支柱１１の下部には球体１２が形成され、球体１２がウォームホイル１７の球状溝１８に軸支されている。球状溝１８はウォームホイル１７の回転中心Ｃからはずれた位置に形成され、ウォームホイル１７の回転に伴って前後方向にはシャフト３４を中心に、左右方向にはピン３５を中心にそれぞれ１°から４０°複合揺動するため、支柱１１の上部も回転し、これにより受皿２が前後左右に揺動する。
【００１３】
またウォームホイル１７の下部には受皿２の揺動位置と揺動速度を検出するための手段として受皿の揺動位置／速度検出用円板２１が装着されている。受皿の揺動位置／速度検出用円板２１の途中には切欠２２が形成され、図８に示すように受皿の揺動位置／速度検出用円板２１の回転に伴い切欠２２が、受皿の揺動速度検出用センサ２３（定位置停止用センサ９７）（側プレート３６の内壁面に装着される）に検出されることにより受皿２の揺動位置と揺動速度を検出することができる。
採血バッグへの採血量の増加に伴って揺動速度が若干減少するので、採血量の増加に関係なく揺動速度を終始一定に保つことができるようにハウジング５の前方内部に内蔵される制御部８０により、前記受皿の揺動位置／速度検出用センサ２３で検出して受皿２の揺動位置と揺動速度の変化を自動的に補正しながら前記制御することができる。
受皿２の揺動位置と揺動速度の検出手段は前記の部品に限定されるものではなく、要するに検出手段を構成し、受皿２の揺動位置と揺動速度を検出できる部品の組み合わせであれば何でも採用することができる。
【００１４】
図１１（（Ａ）、（Ｂ）、（Ｃ））は採血バッグの受皿２の三次元複合揺動を示す揺動状態図である。（Ａ）はウォームホイル１７の平面図でウォームホイル１７の回転に伴う球状溝１８の位置を示している。（Ｂ）と（Ｃ）は球状溝１８が停止位置▲１▼から▲２▼、▲２▼から▲３▼、▲３▼から▲４▼、▲４▼から▲１▼と回転する時、それぞれの位置における受皿２の揺動状態を示している（（Ｂ）は血液バッグの受皿２の正面図で（Ｃ）は（Ｂ）の右側面図である）。球状溝１８が位置▲１▼から位置▲２▼へ移動する時に、受皿２は前後にθ１（１°から４０°）揺動し、同時に左右にθ２（１°から４０°）揺動する。球状溝１８が位置▲２▼から位置▲３▼へ移動する時も同様に前後にθ１、左右にθ２揺動する。以下球状溝１８が位置▲３▼から位置▲４▼、位置▲４▼から位置▲１▼へ移動する時も受皿２は前記と同様に揺動し、以下採血バッグの受皿２は前後方向上下揺動と左右方向上下揺動を同時にくり返す。
【００１５】
ハウジング５の前方内部には制御装置８０が内蔵されている。制御装置８０は図１２に示すように制御部８１と駆動部８２より構成される。
制御部８１はＣＰＵ（中央処理装置）（採血装置１の一連の動作を制御するプログラムが書き込まれるメモリ含む）８５、記憶手段８６、入出力回路８８を有する。なお入出力回路８８には受皿の揺動速度検出用センサ２３（定位置停止用センサ９７）の検出信号が転送される。記憶手段８６には採血バッグの風袋量、収納空間１０に生成する陰圧力、設定採血量、ラベルの必要枚数等の情報を記憶することができる。
使用ラベルの必要枚数は、採血量等の情報とともに、入力スイッチ６４より入力し、記憶手段８６に記憶させておくことができる。当該記憶手段８６に記憶させたラベルの必要枚数は採血量（２００ｍＬ／４００ｍＬ）の設定スイッチ及び表示ランプ７０と前記使用バッグの設定スイッチ及び表示ランプ７２によって表示部７３に表示させることができる。
制御部８１にはそれぞれ表示器８３、各種スイッチＳＷ、ドライブ回路ＤＣを有する操作パネル６０と設定パネル５９が接続され、これらの入力情報が制御部８１に転送される。
前記使用ラベル９９の情報は、前記コードレス通信手段９７で読み取り無線通信手段１１１を介して制御部８１に読込むことができる。
また採血装置番号（ＩＤ）、採血日時、採血所要時間、及び採血オペレータの氏名等の採血情報も制御部８１に読込むことができる。
駆動部８２は制御部８１に接続され二つの変換回路Ａ／Ｄ（アナログ→デジタル）及びＤ／Ａ（デジタル→アナログ）を備える。一方の変換回路Ａ／Ｄには切換器９２、アンプＡＰを介してそれぞれ重量測定手段３と圧力センサ９３が接続される。
他方の変換回路Ｄ／Ａにはドライブ回路ＤＣを介してモータ７が接続される。さらにその他の各ドライブ回路ＤＣにはクランプソレノイド９４、真空ソレノイド９５、電力制御部８７を介して真空ポンプ３０が接続され、それぞれのドライブ回路ＤＣによりクランプソレノイド９４、真空ソレノイド９５、真空ポンプ３０、モータ７を制御する。
【００１６】
次に採血装置１の圧力制御方法について説明する。
圧力の制御方法は自動、強、弱、切の４通りがある。
自動は最も一般的な選択である。採血量の変化量を測定しながら圧力を制御する。
強及び弱は一定の圧力で吸引を続ける。強と弱では圧力の目標値及び圧力上昇の変化率が異なる。
切は大気圧のまま圧力制御を行わない。
図１３は圧力制御を行う時のブロック図で、図１４は圧力と時間の変化を示すグラフである。
圧力の検出は圧力センサ９３の信号で行う。圧力の制御は真空ポンプ３０に供給する電力を電力制御部８７で連続的に変化させて圧力開放弁３９ａを閉じ真空ポンプ３０を動作させることで収納空間１０（真空室）内を陰圧にすることができる。
なお、急速に圧力を低下させる場合は圧力開放弁３９ａを開放することで行う。
以下に圧力の制御方法について詳述する。
（ａ）一定の圧力に制御する方法
あらかじめ定めた能力で真空ポンプ３０を動作させる。収納空間１０（真空室）が目標の圧力に到達したならば、以降は目標の圧力を維持するように真空ポンプ３０の能力を電力制御部８７を使用して変化させる。但し、系には若干の空気のもれがあるため真空ポンプ３０は連続して運転し、停止はさせない。
この方法は、圧力の目標値に関わらず圧力上昇の変化率を制御することができる。
なお、真空ポンプ３０の能力を変化させることを圧力の目標値到達以前から行うことで、より多様な圧力制御を行うことも可能である。
（ｂ）圧力の自動制御
採血運転開始後、収納空間１０内の陰圧力を目標高圧レベルに向かって上昇させつつ重量測定手段３による採血量測定値の変化量が減少したことを条件に収納空間１０内の陰圧力を目標低圧レベルに低下させた後、再び目標高圧レベルに向かって上昇させ、これらの圧力を設定採血量になるまで繰り返す。
【００１７】
次に採血装置１の揺動速度制御の方法について説明する。図１５は揺動速度の制御を行うときのブロック図で、図１６は時間とモータ７に供給する電圧、揺動速度、採血量の変化を示すグラフである。
速度の検出は速度検出用センサ２３の信号で行う。また速度の操作はモータに供給する電圧を連続的に変化させ、モータ７の回転速度を変化させることで行う。
以下に揺動速度の制御方法を詳述する。
（ａ）揺動開始から加速間
揺動開始時は低い電圧をモータ７に供給し、低速で運転を開始する。これにより駆動部に過大な負荷が加えられることを防止する。続けてある定まった割合で電圧を上昇させ加速する。
次に電圧が前もって定めた値に到達したら等速運転を行う。前もって定めた値とは、採血バッグの受皿のみの目標速度時で揺動を行う電圧の代表値等とする。
（ｂ）等速運転
速度の現在値と目標値の偏差をうち消すようにモータ７に供給する電圧を変化させる。これにより、採血により揺動の負荷が変化しても目的の速度で揺動を続けることができる。
なお、この制御方式では速度検出用センサ２３の信号が揺動一回転あたり１から数回しか得られない場合でも、揺動開始から短時間にしかも大きな速度の超過なしに目的の速度に到達できる。
（ｃ）減速
減速が必要になったらモータ７に供給する電圧を定まった割合で下降し減速を行う。これにより駆動部に過大な負荷が加えられることを防止するとともに、揺動停止時の位置精度を向上させることができる。
なお、定位置停止に要する時間を短くすることができる。これは、実際に減速を開始する時点を定位置停止用センサ９７（速度検出用センサ２３と兼用にすることも可）からの信号から、減速に要する時間を補正したときとすることで可能となる。
（ｄ）定位置停止
定位置停止用センサ９７（速度検出用センサ２３と兼用にすることも可）からの信号がきたら、ｔ１時間を待ちモータを停止させる。ここでｔ１とは停止位置を補正するための時間で、記憶部に保存されている。なお、モータ７の停止手段はモータ７に供給する電圧を０Ｖにするかあるいはモータ７に制御端子がある場合はその制御端子を操作することで行う。
また、停止位置をより正確にするためには、モータ７のオーバーランを減少させるために、モータ７を停止させた後に逆転用の信号を短時間加えることもできる。逆転用の手段はモータ７に負の電圧を供給するかあるいはモータ７に制御端子がある場合はそれを操作することで行う。
（ｅ）異常対策
等速運転時に速度の現在値と目標値の偏差の絶対値が、ある値より大きい状態で、ある時間続いたら異常としてモータ７を停止させ警報する。定位置停止時に定位置停止用センサ９７の信号が、ある時間なければ異常としてモータを停止し、警報する。
【００１８】
採血装置１の揺動中の重量測定は揺動一周の間のＡ／Ｄ変換の値の平均をとることで行う。
一周の検出は速度検出用センサ２３及び／又は定位置停止用センサ９７で行う。この方法では揺動中のある特定のポイントで測定する場合に比べ次の利点がある。
揺動位置に対する重量測定用信号の位置調整が不要である。
また重量測定が揺動時の振動や採血バッグのチューブと採血装置ハウジングとの接触といった外乱の影響を受けにくい。
【００１９】
次に採血に使用する使用ラベル９９の必要枚数の表示方法の一例について説明する。
例えば４００ｍＬの採血量でＭＡＰバッグを使用する場合、採血量（２００ｍＬ／４００ｍＬ）の設定スイッチ及び表示ランプ７０の「４００」を押す。次に使用バッグの設定スイッチ及び表示ランプ７２の「ＭＡＰ」を押すと表示部７３に「９」と表示される。その内訳は、前記段落番号［０００６］に記載したようにＭＡＰバッグは４袋から構成されているので、それぞれのバッグに貼付する４枚の使用ラベル９９と、献血申込書１００に貼付する１枚の使用ラベル９９と、検体容器Ｓの４本に貼付する４枚の使用ラベル９９の合計９枚が必要となる。同様に４００ｍＬのトリプルバッグの使用ラベル９９の必要枚数は８枚、同様にダブルバッグでは７枚、シングルバッグでは６枚となりそれぞれの枚数の数値が表示される。
前記検体容器Ｓの４本の内訳は抗原・抗体検査、生化学検査、核酸増幅検査、血球計数検査の４項目の検査を行うため４本必要である。なお採血量が２００ｍＬの場合、４００ｍＬの採血量の検査項目のうち、血球計数検査の項目を除く３項目の検査を実施するので、検体容器Ｓが３本となり同様に前記検体容器Ｓに貼付する使用ラベルも３枚となり、２００ｍＬの採血量でＭＡＰバッグを使用する場合の使用ラベル９９の合計枚数は８枚となるので「８」と表示される。
従って採血量が２００ｍＬの時は検体容器Ｓの３本に貼付する３枚の使用ラベルと前記段落番号［０００６］で記載したように使用バッグの採血バッグ３２の枚数（ＭＡＰ液を封入したＭＡＰバッグを含む）と同数の使用ラベル９９と前記献血申込書１００に貼付する１枚となり、トリプルバッグの場合７枚、ダブルバッグは６枚、シングルバッグは５枚必要なのでそれぞれの枚数の数値が表示される。
採血量（２００ｍＬ／４００ｍＬ）の設定スイッチ及び表示ランプ７０と使用バッグの設定スイッチ７２を押すことにより、前記記憶手段８６に入力したラベルの必要枚数が表示部７３に表示される。
【００２０】
次にコードレス通信手段９７の読み取り手段９７Ａで、前記献血申込書１００と採血バッグ３２と検体容器Ｓに貼付した使用ラベル９９を１枚ずつ読み取り、さらに当該コードレス通信手段９７の読み取り手段９７Ａで採血装置１の採血装置情報（ＢＣＬ）を読み取る。
コードレス通信手段９７より、前記使用ラベル９９の情報及び採血装置情報（ＢＣＬ）を無線通信手段１１１に送信すると、前記使用ラベル９９の情報と記憶手段６８に記憶されていた前記使用ラベル９９の情報は、ＣＰＵ８５で演算処理され、照合される。
すなわち▲１▼表示部７３に表示されたラベルの必要枚数と実際に使用するラベル枚数が同一か否か、それぞれの使用ラベル９９の情報内容が同一か否か、▲２▼使用ラベル９９の情報内容と採血装置の設定に矛盾がないか否か、▲３▼使用する採血装置１と同一か否か等を照合判定することができる。
前記▲１▼、▲２▼、▲３▼の照合結果が同一で矛盾がないと判定された場合は、操作パネル６０の表示部７３に採血量が表示される。もしこの時、例えば、使用ラベル９９の読み取り不足があれば、表示部７３に不足枚数が表示される。
また、コードレス通信手段９７を無線通信手段１１１を介して採血装置１とオンライン（送受信可能状態）で接続して使用する場合、コードレス通信手段９７で使用ラベル９９のバーコード部分を読み取る都度、採血装置１に送信されＣＰＵ８５で演算処理されるため、表示部７３に表示されたラベルの必要枚数が１枚ずつ減算表示させることもできる。
【００２１】
図１７は本発明の採血システム１Ｓの一例を示す概略図で、図１８は採血処理を開始する前の採血情報の照合確認を行う際の一例を示すフローチャートである。
採血システム１Ｓでは、採血装置１一台に対して、コードレス通信手段９７が一台使用される。
前記コードレス通信手段９７の読み取り手段９７Ａを使用ラベル９９のバーコード部分に当てて使用ラベル９９に予め入力された情報を前記コードレス通信手段９７内に読み取る。
さらにコードレス通信手段９７の読み取り手段９７Ａを、採血機１に貼付した採血装置情報コード（ＢＣＬ）に当てて、情報を読み取る。
なお採血するオペレータの氏名等の個人情報は、例えば名札等にバーコード化しておき、前記コードレス通信手段９７を前記バーコードに当てて読取り、該コードレス通信手段９７から無線通信手段１１１に送信して採血装置１の記憶手段８５に入力しておくこともできる。
【００２２】
次に採血者が受付から採血を開始するまでの操作の一例を図１７及び図１８のフローチャートを基に説明する。なお本実施例では採血量４００ｍＬ、ＭＡＰバッグで献血する場合の例について説明する。
（ａ）採血者は受付で献血申込書１００に記入して受付を終えた後、問診及び事前検査を経て、使用ラベル９９と献血申込書１００を持って採血場所に行く。この時点で献血申込書１００に使用ラベル９９が１枚貼付されている。
（ｂ）オペレータは申込書１００を見て、口頭で採血者の氏名、血液型、採血量を確認し、使用する採血装置１の操作パネル６０の採血量（２００ｍＬ／４００ｍＬ）の設定スイッチ及び表示ランプ７０の「４００」と使用バッグの設定スイッチ及び表示ランプ７２の「ＭＡＰ」を押して設定する。設定後表示部７３に必要とする使用ラベル９９の枚数が表示され、この場合表示部７３に「９」と表示される。
（Ｃ）オペレータは前記採血バッグ３２に使用ラベル９９をＭＡＰバッグを構成する採血バッグ３２の４袋に１枚ずつ貼付する。さらに検体容器Ｓの４本にも前記採血バッグ３２と同様にそれぞれ使用ラベル９９を貼付する。
（ｄ）オペレータはコードレス通信手段９７で採血バッグに貼付した４枚の使用ラベル９９と検体容器Ｓに貼付した４枚の使用ラベル９９と献血申込書１００の使用ラベル９９を一枚ずつ読み取る。
（ｅ）前記コードレス通信手段９７の読み取り手段９７Ａを採血装置情報（ＢＣＬ）に当てて使用する採血装置１の情報を前記コードレス通信手段に９７で読み取った後、前記コードレス通信手段９７で読み取った前記使用ラベル９９の情報と採血装置１の情報を使用する採血装置１の無線通信手段１１１に送信する。
（ｆ）採血装置１は、▲１▼表示部７３に表示されたラベルの必要枚数と実際に使用するラベル枚数が同一か否か、それぞれの使用ラベル９９の情報内容が同一か否か、▲２▼使用ラベル９９の情報内容と採血装置の設定に矛盾がないか否か（使用ラベル９９の中の「採血量４００ｍＬ」の情報が採血装置１の採血設定量「４００ｍＬ」の情報と矛盾がないか否か）、▲３▼使用する採血装置１と同一か否か（受信した採血装置情報コード（ＢＣＬ）がその装置自身のものであるか否か）等を照合判定し、前記▲１▼〜▲３▼の中で一つでも異常がある場合は、エラー表示を発する。
エラーが表示された場合、使用ラベル９９及び採血量設定等を確認して手直しする。問題なければ、表示部７３に採血量が表示される。この場合「４００」と表示される。
（ｇ）採血装置１の蓋体９を開き、受皿２に採血バッグ３２を載置し、再び前記蓋体９を閉めると、自動的に、受皿２に載置した採血バッグ３２の重量が、採血装置１に設定した使用バッグの重量許容範囲に収まっているか、ＣＰＵ８５により、照合判定される。重量許容範囲を越えていた場合、採血装置１は、エラー表示を発する。前記エラー表示とは例えば重量許容範囲を超えた場合は表示部７３に「ＯＶＥＲ」と表示され下回った場合は「ＵＮＤＥＲ」と表示される。
エラー表示を発した場合、採血バッグタイプを確認して手直し（修正）を行なう。
（ｈ）操作パネル６０に、エラー表示がなく採血量表示が表示部７３に「４００」と表示されれば、採血者の採血量は４００ｍＬで採血バッグ３２が「ＭＡＰ用」である事と、献血申込書１００と検体容器Ｓと採血装置１の準備が整ったことを示すと共に、採血量及び使用バッグの設定が適正であることを示している。
【００２３】
採血装置１は図１に示すように設定パネル５９の下部に記憶媒体装着部１０１を配置し図１９（図１の背面図）に示すように背面にコンピュータリンク端子１０４が配置されている。さらに背面にはヒューズホルダー１０２と電源コネクタ１０３が配置されている。
前記記憶媒体装着部１０１は図１２に示す記憶媒体ポート１０５に接続され、記憶媒体ポート１０５はＩ／Ｆ（インターフェイス）を介してＣＰＵ８５に接続される。
他方前記コンピュータリンク端子１０４は図１２に示す上位通信ポート１０７に接続され上位通信ポート１０７は通信Ｉ／Ｆを介してＣＰＵ８５に接続される。
採血装置１に配置した無線通信手段１１１は図１２に示す無線通信手段１１１であり、該無線通信手段１１１は通信Ｉ／Ｆを介してＣＰＵ８５に接続されている。該無線通信手段１１１はコードレス通信手段９７の無線通信手段９７Ｂから発信される無線信号、赤外線等を受信することができるデバイスである。また前記無線通信手段９７Ｂが電波の場合、該無線通信手段１１１は電波を受信するデバイスにすることもできる。
本発明では採血装置１に図１２に示した記憶媒体ポート１０５を介して記憶媒体に採血装置１の動作履歴を記憶させることができる。記憶媒体は採血装置１に着脱できるように設けることができるため、これによりオープン採血や１台のみの採血装置が稼動するようなコンピュータネットワークが構築しにくい使用環境であっても、記憶媒体を情報移送手段として、ホストコンピュータで採血装置１の動作履歴を管理することができる。
採血装置１に着脱可能な記憶媒体とは例えばコンパクトディスク、ミニディスク、コンパクトフラッシュ、フロッピーディスク、スマートメディア等が好ましい。
また記憶媒体の記憶情報は採血バッグ製造業者、採血バッグ採血量、採血バッグ種類、保存液タイプ、採血バッグ製造番号、血液センター番号、施設番号、血液型、採血装置番号（ＩＤ）、採血日時、採血所要時間、及び採血オペレータの氏名等である。なお、採血日時を採血装置に判断させるためカレンダー機能を持たせることができる。
【００２４】
コードレス通信手段９７で読取った情報（採血バッグ情報、オペレータ情報、採血装置情報）は無線通信手段１１１を介して採血装置１に送信されている。
採血装置１に上位通信ポート１０７を介してに図１９（図１の背面図）に示すようにコンピュータリンク端子１０４を設けることができる。このため図２０に例示する採血システム１ＳＳのように、複数の採血装置１とホストコンピュータＨＣを有線で連結して各々の採血装置１の採血情報を、ホストコンピュータＨＣに送信して、採血情報のアップロードを行うことができる。またホストコンピュータＨＣから各々の採血装置１へ採血情報のダウンロードを行うこともできる。これらによりホストコンピュータＨＣで採血装置１を一元管理することが可能な採血システムを構築することが可能となる。
【００２５】
図２１から２３は本発明の採血システムのその他の実施例を示す概略図である。
採血システム１Ａ、１Ｂ、１Ｃは、前記採血装置１及びコードレス通信手段９７と無線通信手段１１０を装着したホストコンピュータＨＣとから構成される。さらにホストコンピュータＨＣには、無線通信手段１１０が装着される。
【００２６】
採血システム１ＳＳ、１Ａ、１Ｂ、１Ｃは、前記採血情報及び採血機情報を入力したコードレス通信手段９７から無線通信手段１１１を介して採血装置１に入力した後、当該採血装置１の情報をホストコンピュータＨＣに、次のいずれかの手段により送信することができる。
▲１▼例えば図２０の採血システム１ＳＳのように採血装置１のコンピュータリンク端子１０４からホストコンピュータＨＣに有線で送信する。
▲２▼例えば図２１の採血システム１Ａのように採血装置１の無線通信手段１１１からホストコンピュータＨＣの無線通信手段１１０に無線で送信する。
▲３▼例えば図２２の採血システム１Ｂのようにコードレス通信手段９７からホストコンピュータＨＣの無線通信手段１１０に無線で送信する。
以上のようにして前記複数の採血装置１からホストコンピュータＨＣへ採血情報及び採血機情報のアップロードを行い、ホストコンピュータＨＣで採血装置１を一元管理することができる。
【００２７】
また前記採血情報及び採血機情報を入力したコードレス通信手段９７をホストコンピュータＨＣの無線通信手段１１０を介して当該ホストコンピュータＨＣに送信してた後、次のいずれかの手段により送信することができる。例えば図２３の採血システム１Ｃのように、▲１▼ホストコンピュータＨＣの無線通信手段１１０から採血装置１の無線通信手段１１１に無線で送信する。
▲２▼ホストコンピュータＨＣのコンピュータリンク端子１０４を介して採血装置１へ有線で送信する。
以上のようにホストコンピュータＨＣから前記採血情報及び／又は採血機情報を複数の各採血装置１に送信して、前記採血情報及び／又は採血機情報のダウンロードを行い、ホストコンピュータＨＣで採血装置１を一元管理することができる。
【００２８】
さらに詳述すれば図２１に示す採血システム１Ａは、前記コードレス通信手段９７で読み取った前記採血情報及び採血機情報を採血装置１の無線通信手段１１１に送信して当該採血装置１に取り込み、さらに前記無線通信手段１１１からホストコンピュータＨＣの無線通信手段１１０を介して無線で前記採血装置１の前記採血情報及び採血機情報をホストコンピュータＨＣに送信することができる。以上のように複数の採血装置１の前記採血情報及び採血機情報をホストコンピュータＨＣに送信して当該情報のアップロードを行いホストコンピュータＨＣにより複数の採血装置１を一元管理することができる。
また図２２に示す採血システム１Ｂは、前記コードレス通信手段９７で読み取った前記採血情報及び採血機情報を、採血装置１の無線通信手段１１１に送信して当該採血装置１に取り込み、さらに前記コードレス通信手段９７で読み取った前記採血情報及び採血機情報を、ホストコンピュータＨＣの無線通信手段１１０を介してホストコンピュータＨＣに無線で送信することができる。以上のように複数の採血装置１の前記採血情報及び採血機情報をホストコンピュータＨＣに送信して当該情報のアップロードを行いホストコンピュータＨＣにより複数の採血装置１を一元管理することができる。
また図２３に示す採血システム１Ｃは、前記コードレス通信手段９７で読み込んだ前記採血情報及び採血機情報をホストコンピュータＨＣの無線通信手段１１０に送信して当該ホストコンピュータＨＣに取り込んだ後、当該ホストコンピュータＨＣの無線通信手段１１０から採血装置１の無線通信手段１１１に送信して前記採血情報及び／又は採血機情報のダウンロードを行い、ホストコンピュータＨＣで複数の採血装置１を一元管理することができる。また前記ホストコンピュータＨＣと複数の採血装置１を有線で接続し前記と同様に採血情報のダウンロードを行い一元管理することができる。
【００２９】
【発明の作用効果】
（１）本発明の採血装置１では採血を開始する前の採血情報及び使用する採血装置情報をコードレス通信手段９７で読み取ることにより照合確認操作を容易に行うことができる。
（２）またコードレス通信手段９７を採用することにより、従来の採血システムのようにコードがあるための作業の煩わしやコードを引っ掛けてしまい断線すること等の懸念が解消される。
（３）１台のコードレス通信手段９７で、少なくとも１台以上の採血装置１に対応させて使用することができる。
（４）コードレス通信手段９７で、使用ラベル９９の情報と実際に使用する採血装置１の情報を読み込み、該コードレス通信手段９７から無線通信手段１１１に送信し、あらかじめ前記採血装置１に入力しておいた使用ラベル９９の情報と照合することにより、採血バッグ３２に貼付した使用ラベル９９の貼付違い及び実際に使用する採血バッグ３２と採血装置１の設定違い等の採血時の人的ミスを解消することができる。
（５）採血装置１の入力情報をホストコンピュータＨＣに移送し、ホストコンピュータＨＣで採血装置１の制御や動作履歴を一元管理することができる採血システムを構築することができる。
【図面の簡単な説明】
【図１】本発明の採血装置の正面図
【図２】本発明の採血装置の縦断面図
【図３】本発明の採血装置の平面図
【図４】図３から受皿２を除いた平面図
【図５】図４の揺動手段の拡大図
【図６】図５のＡ矢視図
【図７】図５のＢ−Ｂ断面図
【図８】受皿の揺動位置／速度検出用円板２１と受皿の速度検出用センサ２３（定位置停止用センサ９７）の一部拡大図
【図９】操作パネルの拡大図
【図１０】設定パネルの拡大図
【図１１】受皿２の揺動状態図
【図１２】制御装置のブロック図
【図１３】圧力制御を行う時のブロック図
【図１４】圧力と時間の変化を示すグラフ
【図１５】揺動速度の制御を行うときのブロック図
【図１６】時間とモータに供給する電圧、揺動速度、採血量の変化を示すグラフ
【図１７】本発明の採血システム１Ｓの概略図
【図１８】本発明の採血システム１を使用して採血処理を開始する前の採血情報の照合確認を行う際のフローチャート
【図１９】図１の背面図
【図２０】本発明のその他の実施例を示す採血システム１ＳＳの概略図
【図２１】本発明のその他の実施例を示す採血システム１Ａの概略図
【図２２】本発明のその他の実施例を示す採血システム１Ｂの概略図
【図２３】本発明のその他の実施例を示す採血システム１Ｃの概略図
【符号の説明】
１　　採血装置
２　　採血バッグの受皿（受皿）
３　　重量測定手段（ロードセル）
４　　揺動手段
５　　ハウジング
６　　固定部材
７　　モータ
８　　ギヤヘッド
９　　蓋体
１０　　収納空間
１１　　支柱
１２　　球体
１３　　キャッチ
１４　　チューブホルダー
１４ａ　　溝
１５　　隔壁
１６　　ウォーム
１７　　ウォームホイル
１８　　球状溝
１９　　係合溝
２０　　ヒンジ
２１　　受皿の揺動位置／速度検出用円板
２２　　切欠
２３（９７）　　受皿の揺動速度検出用センサ（定位置停止用センサ）
２４　　軸
２６　　軸受
２７　　ベースプレート
２９　　軸受
３０　　真空ポンプ
３１　　電源部
３２　　採血バッグ
３２ａ　　採血チューブ
３３　　溝
３４　　シャフト
３５　　ピン
３６、３７　　側プレート
３８　　真空配管
３９　　圧力開放弁部
３９ａ　　圧力開放弁
３９ｂ　　マフラ
４１　　天プレート
４２　　底プレート
４３　　軸受
４４　　側プレート
４５　　電源スイッチ
４７　　過負荷保護プレート
４８　　過負荷保護ネジ
５９　　設定パネル
６０　　採血情報の表示手段（操作パネル）
６１　　運転開始スイッチ
６２　　運転停止スイッチ
６３　　設定モードスイッチ
６４　　入力スイッチ
６５　　数値設定スイッチ
６６　　吸引切替スイッチ
６７　　揺動スイッチ
６８　　校正モードスイッチ
７０　　採血量（２００ｍＬ／４００ｍＬ）の設定スイッチ及び表示ランプ
７１　　吸引の表示ランプ
７２　　使用バッグの設定スイッチ及び表示ランプ
７３　　採血量／真空度／風袋量／ラベルの必要枚数の表示部（表示部）
７４　　風袋処理の表示部
７５　　血液流速表示ランプ
８０　　制御装置
８１　　制御部
８２　　駆動部
８３　　表示器
８５　　採血情報の照合手段（ＣＰＵ）
８６　　採血情報の記憶手段（記憶手段）
８７　　電力制御部
８８　　入出力回路
９２　　切換器
９３　　圧力センサ
９４　　クランプソレノイド
９５　　真空ソレノイド
９６　　蓋体閉スイッチ
９７　　コードレス通信手段（コードレスバーコードリーダ）
９７Ａ　　読み取り手段
９７Ｂ　　通信手段
９７Ｃ　　電源スイッチ
９７Ｄ　　読み取りボタン
９７Ｅ　　送信ボタン
９８　　製造ラベル
９９　　使用ラベル
１００　　献血申込書
１０１　　記憶媒体装着部
１０２　　ヒューズホルダー
１０３　　電源コネクタ
１０４　　コンピュータリンク端子
１０５　　記憶媒体ポート
１０７　　上位通信ポート
１１０　　無線通信手段（ＨＣに配置）
１１１　　無線通信手段（採血装置に配置）
ＢＣＬ　　採血情報コード（バーコードラベル）
Ｓ　　検体容器
ＨＣ　　ホストコンピュータ
ＤＣ　　ドライブ回路
ＡＰ　　アンプ
ＳＷ　　スイッチ
Ｉ／Ｆ　　通信Ｉ／Ｆ
Ａ／Ｄ　　変換回路（アナログ→デジタル）
Ｄ／Ａ　　変換回路（デジタル→アナログ）
【図１】
2004081305.tif 000003
【図２】
2004081305.tif 000004
【図３】
2004081305.tif 000005
【図４】
2004081305.tif 000006
【図５】
2004081305.tif 000007
【図６】
2004081305.tif 000008
【図７】
2004081305.tif 000009
【図８】
2004081305.tif 000010
【図９】
2004081305.tif 000011
【図１０】
2004081305.tif 000012
【図１１】
2004081305.tif 000013
【図１２】
2004081305.tif 000014
【図１３】
2004081305.tif 000015
【図１４】
2004081305.tif 000016
【図１５】
2004081305.tif 000017
【図１６】
2004081305.tif 000018
【図１７】
2004081305.tif 000019
【図１８】
2004081305.tif 000020
【図１９】
2004081305.tif 000021
【図２０】
2004081305.tif 000022
【図２１】
2004081305.tif 000023
【図２２】
2004081305.tif 000024
【図２３】
2004081305.tif 000025